(57)【要約】【課題】鏝受け部材の下側に配置されるタック部を熱鏝によることなく緊張できるようにし、又熱風を袖の中に滞留させて熱風の熱エネルギーのロスを防止し、作業空間の急激な温度上昇を防止すると共に、袖の仕上がり状態を良くする。【解決手段】シャツ１を着せる人体型２の傍らに配置してシャツ１の袖口１ａを差し嵌める鏝受け部材３のカバーであり、鏝受け部材３に嵌めるため袋状に形成する。開口状の口部４に鏝受け部材３に取り付けるための取付具５を設ける。鏝受け部材３の下側にあたるカバー本体８の下面６に、人体型２から袖の内部に供給する熱風で膨らみ袖のタック部１ｂを緊張仕上げする袋部７をポケット状に設ける。【選択図】      図１
2005013650.tif 000002
【特許請求の範囲】
【請求項１】
シャツが着せられる人体型の傍らに配置されてシャツの袖口が差し嵌められる鏝受け部材のカバーであって、鏝受け部材に嵌めるため袋状に形成され、開口状の口部に鏝受け部材に取り付けるための取付具が設けられ、鏝受け部材の下側にあたるカバー本体の下面に、人体型から袖の内部に供給される熱風で膨らみ袖のタック部を緊張仕上げする袋部がポケット状に設けられていることを特徴とする鏝受け部材のカバー。
【請求項２】
請求項１記載の鏝受け部材のカバーであって、袋部が、先端側の開口部から底部になるに連れて次第にカバー本体の下面との間隔が短く選定され、側面から見て略三角形状に形成されていることを特徴とする鏝受け部材のカバー。
【請求項３】
請求項２記載の鏝受け部材のカバーであって、袋部の底部が、口部からシャツの袖口が配置される部分の間隔をあけた位置に配置されていることを特徴とする鏝受け部材のカバー。
【請求項４】
請求項３記載の鏝受け部材のカバーであって、シャツの袖口が配置される部分が、袖口と摩擦抵抗が大きい状態に形成されていることを特徴とする鏝受け部材のカバー。
【請求項５】
請求項４記載の鏝受け部材のカバーであって、シャツの袖口が配置される部分が、シリコン樹脂が表面にコーティングされた生地で形成されていることを特徴とする鏝受け部材のカバー。
【発明の詳細な説明】
【０００１】
【発明の属する技術分野】
本発明は、鏝受け部材のカバーに関し、更に詳しくはシャツを人体型に着せた状態で前後一対のプレス鏝でプレス仕上げするシャツプレス仕上げ機において、シャツの袖口やタック部をプレスするための熱鏝を受ける鏝受け部材に使用するカバーに関するものである。
【０００２】
【従来の技術】
従来この種の仕上げ機の鏝受け部材は、通常、例えば金属板にパッドが重合されて扁平の板状に形成されている（例えば特許文献１参照）。
そしてこの種の鏝受け部材に使用するカバーは、熱鏝で押圧されても耐久力を有するよう、ポリエステル等の耐熱性の生地で、鏝受け部材の全体を覆うよう形成されている。
【０００３】
【特許文献１】
特開２００３ー２４６９９号公報
【０００４】
【発明が解決しようとする課題】
従来この種の仕上げ機の場合、熱鏝は鏝受け部材の上方に配置されている。従って従来機を使用すると、鏝受け部材の上面に配置されるタック部は熱鏝でプレスされるが、鏝受け部材の下側に配置されるタック部はプレスされず、この箇所の皺を除去できない、という問題点があった。
又この種の仕上げ機は、袖を仕上げるとき、人体型の中から袖の中にスチームや熱風を吹き込み、袖を風圧で膨らまして緊張し上げするのが通例である。この場合、袖の中に供給する熱風が袖を介して直ぐ外部に漏れると、周囲の温度が急激に上昇し、作業環境、作業雰囲気を悪化させることになる。又この場合は、熱風の熱エネルギーを活かし切れず、熱エネルギーをロスするため、袖を効率良く緊張仕上げできないものである。
【０００５】
本発明は、このような従来の問題点に鑑み、提案されたものである。
従って本発明の技術的課題は、鏝受け部材の下側に配置されるタック部を熱鏝によることなく緊張できるようにし、又熱風を袖の中に滞留させて熱風の熱エネルギーのロスを防止し、作業空間の急激な温度上昇を防止すると共に、袖の仕上がり状態が良くなるよう形成した鏝受け部材のカバーを提供することにある。
【０００６】
【課題を解決するための手段】
本発明は、上記の課題を解決するために、次のような技術的手段を採る。
【０００７】
即ち本発明は、図１等に示されるように、シャツ１が着せられる人体型２の傍らに配置されてシャツ１の袖口１ａが差し嵌められる鏝受け部材３のカバーであって、鏝受け部材３に嵌めるため袋状に形成され、開口状の口部４に鏝受け部材３に取り付けるための取付具５が設けられ、鏝受け部材３の下側にあたるカバー本体８の下面６に、人体型２から袖の内部に供給される熱風で膨らみ袖のタック部１ｂを緊張仕上げする袋部７がポケット状に設けられていることを特徴とする（請求項１）。
【０００８】
本発明の場合、取付具５としては、例えば紐や面状ファスナー等がある。袋部７の大きさ、長さ、形状等は適宜選定されるので良い。袋部７の材質としては、例えば耐熱性、非通気性を有する合成繊維製の生地や樹脂シート等がある。
【０００９】
又本発明の場合、袋部７が、先端側の開口部７ａから底部７ｂになるに連れて次第にカバー本体８の下面６との間隔が短く選定され、側面から見て略三角形状に形成されているのが好ましい（請求項２）。
【００１０】
なぜならこの場合は、シャツ１の袖口１ａを鏝受け部材３に差し嵌めるとき、袋部７が差し嵌め操作の支障となることを防止でき、又袋部７がタック部１ｂの膨らみに合わせて膨張し、タック部１ｂを緊張し易いからである。
【００１１】
又本発明は、袋部７の底部７ｂが、口部４からシャツ１の袖口１ａが配置される部分９の間隔Ｄをあけた位置に配置されているのが好ましい（請求項３）。
【００１２】
なぜならこの場合は、袖口１ａをクランパー１１で堅固に固定した状態で、タック部１ｂだけ的確に緊張仕上げできるからである。
【００１３】
又本発明は、シャツ１の袖口１ａが配置される部分９が、袖口１ａと摩擦抵抗が大きい状態に形成されているのが好ましい（請求項４）。
【００１４】
なぜならこの場合は、袖口１ａが位置ずれすることを防止でき、袖口１ａをカバーにセットし易いからである。この本発明は、具体的にはシャツ１の袖口１ａが配置される部分９の表面に、摩擦抵抗の大きい樹脂を塗布したり、或いは袖口１ａが配置される部分９を摩擦抵抗の大きい生地で形成することで達成される。
【００１５】
摩擦抵抗の大きい生地としては、シリコン樹脂が表面にコーティングされた生地がある（請求項５）。この場合は、簡単、低コストで本発明品を形成できる。
【００１６】
【発明の実施の形態】
以下、本発明の好適な一実施形態を添付図面に従って説明する。
【００１７】
図１、図２等において、１は、ワイシャツ等のシャツであり、２はこのシャツ１が着せられる人体型である。又３は、人体型２の傍らに配置されてシャツ１の袖口１ａが差し嵌められる鏝受け部材である。
【００１８】
本発明は、上記の鏝受け部材３に装着させるカバーであり、鏝受け部材３に嵌めるため袋状に形成されている。又本発明は、開口状の口部４に、鏝受け部材３に取り付けるための取付具５が設けられている。取付具５は、この実施形態では細い帯状の紐である。本発明の場合、上記の口部４は、折り返されて通路状の紐通し部４ａを有して形成され、取付具５はこの紐通し部４ａに通されて両端５ａが外部に引き出されている。
【００１９】
又本発明は、鏝受け部材３の下側にあたるカバー本体８の下面６に、人体型２から袖の内部に供給される熱風で膨らみ袖のタック部１ｂを緊張仕上げする袋部７がポケット状に設けられている。この袋部７は、先端側の開口部７ａから底部７ｂになるに連れて次第にカバー本体８の下面６との間隔が短く選定され、側面から見て略三角形状に形成されている。
【００２０】
袋部７の開口部７ａは、鏝受け部材３に袖口１ａを嵌め入れるとき、支障にならないよう、カバー本体８の先端８ａから口部４の側に所定の間隔だけ寄せられて配置されると共に、口部４の側に下り傾斜状に形成されている。又袋部７は、図２、図４に示されるように、開口部７ａの側がカバー本体８の横幅を超えて幅広状に形成され、下側に凸湾曲状に膨らむことができるよう構成されている。又袋部７の底部７ｂは、口部４の側から、シャツ１の袖口１ａが配置される部分９の間隔Ｄ（図２等参照）をあけて配置されている。なお袋部７は、ポリエステル繊維等の、耐熱性及び非通気性を有する合成繊維の生地で形成されている。
【００２１】
シャツ１の袖口１ａが配置される部分９は、この実施形態ではシリコン樹脂が表面にコーティングされた生地で形成され、袖口１ａと摩擦抵抗が大きい状態に形成されている。
【００２２】
次にこの実施形態に係る本発明の作用を説明する。
本発明品は、図１、図６等に示されるように、鏝受け部材３に差し嵌められ、鏝受け部材３の根元に、取付具５としての紐で縛られて鏝受け部材３に装着される。この状態で作業者は、シャツ１の袖口１ａを鏝受け部材３に差し嵌める。この場合、袋部７は、上記の通り、側面視で略三角形状に形成され、開口部７ａがカバー本体８の先端８ａより口部４の側に寄せられ、しかも下り傾斜状に形成されている。従って袖口１ａは、袋部７につっかかることなく、円滑に鏝受け部材３に差し嵌められる。
【００２３】
次に作業者は、シャツ仕上げ機１０（図６参照）のクランパー１１で袖口１ａをクランプし、熱鏝１２でタック部１ｂをプレスする。この状態で人体型２の内部から袖の中に熱風が送られると、図５に示されるように、袋部７が熱風を受け止め、膨張する。そして本発明では、この袋部７でタック部１ｂが緊張仕上げされるものである。そして本発明の場合、熱風は袋部７で行き止まり、袖の先から漏れ出ることが防止される。
【００２４】
【発明の効果】
以上説明したように本発明は、ポケット状の袋部が熱風を受け止め、熱風で膨らむ袋部によってタック部を緊張させることができる。
従って本発明を使用すれば、鏝受け部材の下側に熱鏝を設けることなく、鏝受け部材の下側に配置されるタック部の皺を袋部で除去できる。又本発明の場合は、袋部によって袖内に熱風を滞留させ、熱風の熱エネルギーを袖に効率良く伝えることができる。従って本発明によれば、熱風の熱エネルギーのロスを防止でき、袖の仕上がり状態を良好にでき、又熱風が直ぐに袖から放散することを防止でき、作業空間の急激な温度上昇を防止できる。
【図面の簡単な説明】
【図１】本発明のカバーの好適な一実施形態を示す一部を切欠した要部正面図である。
【図２】本発明のカバーの平面図である。
【図３】図２のＩＩＩ−ＩＩＩ線における断面図である。
【図４】本発明のカバーの正面図である。
【図５】本発明のカバーの作用を説明するための一部を切欠した要部正面図である。
【図６】本発明のカバーの使用状態を示すシャツ仕上げ機の斜視図である。
【符号の説明】
１    シャツ
１ａ  袖口
１ｂ  タック部
２    人体型
３    鏝受け部材
４    口部
５    取付具
６    下面
７    袋部
８    カバー本体
９    袖口が配置される部分
１０  シャツ仕上げ機
１１  クランパー
１２  熱鏝
【図１】
2005013650.tif 000003
【図２】
2005013650.tif 000004
【図３】
2005013650.tif 000005
【図４】
2005013650.tif 000006
【図５】
2005013650.tif 000007
【図６】
2005013650.tif 000008